(57)【要約】【課題】ファンの回転時に生じる騒音はガイド風管内に密閉されるため、ファン作動時の騒音を大幅に低減可能である騒音制御構造を具えた散熱モジュールを提供する。【解決手段】  主に散熱モジュールは内部に散熱器を具えた嵌設具上に設置し、該嵌設具はそれぞれ該散熱器上方に設置する嵌設ユニット及び下方の台を含む。該散熱モジュールはファン、ガイド風管、接続台を含み、該ファンはケース体及び該ケース体内に設置する複数のファンの羽を含む。該ガイド風管は導流槽を形成し、該接続台は両側はそれぞれ該ファン及び該ガイド風管と接続する。該接続台は基板を含み、該基板中央には貫通しかつ該導流槽と通じる開孔を形成する。使用時には空気は導流槽より該接続台を通り散熱器に吹き付け、散熱器はCPUより伝導される熱エネルギーをブラスト作用により発散、排除する。【選択図】  図  ３
2006037890.tif 000002
【特許請求の範囲】
【請求項１】
主に散熱モジュールは内部に散熱器を具えた嵌設具上に設置し、該嵌設具はそれぞれ該散熱器上方に設置する嵌設ユニット及び下方の台を含み、
該散熱モジュールはファン、ガイド風管、接続台を含み、
該ファンはケース体及び該ケース体内に設置する複数のファンの羽を含み、
該ガイド風管は導流槽を形成し、
該接続台は両側はそれぞれ該ファン及び該ガイド風管と接続し、該接続台は基板を含み、該基板中央には貫通しかつ該導流槽と通じる開孔を形成することを特徴とする騒音制御構造を具えた散熱モジュール。
【請求項２】
前記接続台は複数の該基板により該ガイド風管方向に向い延伸する第一嵌合件を含み、かつ前記ガイド風管は内壁面を具え、該内壁面上には複数のかつ該第一嵌合件に対応する嵌合凹口を形成し、該第一嵌合件は該嵌合凹口に嵌設し、前記ガイド風管は前記接続台上に接続することを特徴とする請求項１記載の騒音制御構造を具えた散熱モジュール。
【請求項３】
前記ファンのケース体は相反する側の二外表面において、各外表面上に少なくとも一個の陥没部を形成し、かつ前記接続台はさらに少なくとも二個の前記基板より前記ケース体方向に向い延伸し、かつそれぞれ該陥没部に対応する第二嵌合件を含み、該第二嵌合件は該陥没部上に嵌合可能で、前記接続台と前記ファンを接続することを特徴とする請求項１記載の騒音制御構造を具えた散熱モジュール。
【請求項４】
主に熱源上に設置する散熱モジュールで、
該散熱モジュールは嵌設具、散熱器、ファン、ガイド風管、接続台を含み、
該嵌設具は台及び該台と係合する嵌設ユニットを含み、
該散熱器は該台及び該嵌設ユニット間に設置し、
該ファンは該嵌設具の嵌設ユニット上に接続し、ケース体及び該ケース体内に設置する複数のファンの羽を含み、
該ガイド風管は導流槽を形成し、
該接続台両側はそれぞれ該ファン及び該ガイド風管と接続し、該接続台は基板を含み、該基板中央には貫通しかつ該導流槽と通じる開孔を形成することを特徴とする請求項１記載の騒音制御構造を具えた散熱モジュール。
【請求項５】
前記接続台は前記基板より前記ガイド風管方向に向って延伸する複数の第一嵌合件を含み、かつ該ガイド風管は内壁面を具え、該内壁面上には複数で、かつ該第一嵌合件に対応する嵌合凹口を形成し、該第一嵌合件は該嵌合凹口において嵌設し、前記ガイド風管を前記接続台上に接続することを特徴とする請求項４記載の騒音制御構造を具えた散熱モジュール。
【請求項６】
前記ファンのケース体は相反する側の二外表面において、各外表面上に少なくとも一個の陥没部を形成し、かつ前記接続台はさらに少なくとも二個の前記基板より前記ケース体方向に向い延伸し、かつそれぞれ該陥没部に対応する第二嵌合件を含み、該第二嵌合件は該陥没部上に嵌合可能で、前記接続台と前記ファンを接続することを特徴とする請求項４記載の騒音制御構造を具えた散熱モジュール。
【請求項７】
前記ファンのケース体は相反する側の二外表面において、各外表面上に少なくとも一個の陥没部を形成し、かつ前記嵌設ユニットは頂面を具える嵌設台、及び少なくとも二個の前記嵌設台頂面から前記ケース体方向に向い延伸し、かつそれぞれ該陥没部に対応する第三嵌合件を含み、該第三嵌合件は該陥没部上に嵌設し、前記接続台と前記嵌設ユニットを接続することを特徴とする請求項５記載の騒音制御構造を具えた散熱モジュール。
【発明の詳細な説明】
【技術分野】
【０００１】
本発明は一種の騒音制御構造を具えた散熱モジュールに関する。特に一種の騒音を低下可能な騒音制御構造を具えた散熱モジュールに係る。
【背景技術】
【０００２】
科学技術の進歩、先端技術の開発は回路の小型化を促進し、回路一個当たりが必要とする機能もより莫大で複雑になっており、これにより、単位時間内に消費する電力は上昇し、それに伴い大量の熱エネルギーを発生するようになっている。こうして生じる熱エネルギーは、電子システム全体の作業温度と正常な作動を維持するために、散熱器及びファンなどの散熱装置により適時排除することが必要である。
図１及び図２に示すように、公知のコンピュータの散熱装置100はCPU2の上方に設置する。該散熱装置100は散熱器11、嵌設具12及びファン13を含む。
該散熱器11の材質は通常はアルミ或いは銅で、底板111を含む。該底板111はCPU2に密着する底面1111、底面1111の反対に位置する頂面1112上において上方へと延伸する複数の散熱片112を具える。
該嵌設具12は台121及び嵌設具組122を含む。該台121は該散熱器11下方に接続し、その四角にはそれぞれ嵌設孔1211を設置する。嵌設具組122は該散熱器11上方に設置し、嵌設台1221、該嵌設台1221上に可動設置する作動部品1222、及び移動可能でそれぞれ該嵌設台1221両相対辺に設置する嵌設片1223、該各嵌設片1223の両端にそれぞれ対応嵌設孔1211を具える係合部1224を含む。該作動部品1222を下方へと移動させる時、該嵌設片1223の係合部1224は該嵌設孔1221に嵌設し、該嵌設具12と該散熱器11は連結する。さらに、該ファン13はネジ（図示なし）により該嵌設具12及び該散熱器11と結合する。
上記のような現在の散熱装置100は散熱器11を利用し、該CPU2上の熱エネルギーを伝導、排出し、続いて該ファン13の送風により散熱するものである。しかし、該ファン13が高速回転を行っている時には、しばしば大きな騒音を発し、かつその回転時に発生する震動力は該ファン13を固定するネジを緩めてしまう。緩んだネジは騒音を拡大するばかりか、該ファン13と該嵌設具12及び該散熱器11の離脱を招き、散熱に悪影響を及ぼす。また、該ファン13の該散熱器11から遠い側は開放式で、吹き込んでくるファン13の気流が乱れるため、散熱効果にマイナスの影響を与えている。
【発明の開示】
【発明が解決しようとする課題】
【０００３】
公知構造には以下の欠点があった。
上記のように公知の散熱装置では、ファンが高速回転を行っている時に騒音を発し、かつその回転時に発生する震動力はファンを固定するネジを緩め、緩んだネジがさらに騒音を拡大するばかりか、ファンと嵌設具及び散熱器の離脱を招き、散熱効果を低下させる。
また、ファンの散熱器から遠い側は開放式で、吹き込んでくるファンの気流が乱れるため、散熱効果にマイナスの影響を与えている。
本発明は上記構造の問題点を解決した騒音制御構造を具えた散熱モジュールを提供するものである。
【課題を解決するための手段】
【０００４】
上記課題を解決するため、本発明は下記の騒音制御構造を具えた散熱モジュールを提供する。
それは主に嵌設具上に設置し、嵌設具内には散熱器を設置し、それぞれ散熱器上方に設置する嵌設ユニット及び下方の台を含み、
該散熱モジュールはファンを含み、導流槽のガイド風管及び接続台を形成し、
該ファンはケース体、及び該ケース体内に設置する複数のファンの羽を含み、
該接続台の両側はそれぞれ該ファン及び該ガイド風管と接続し、基板を含み、該基板中央には貫通しかつ該導流槽と通じる開孔を設置し、ファンの回転時に、空気は該導流槽より進入し、該開孔を経由し、該散熱器上に通風し、
すなわち本発明騒音制御構造を具えた散熱モジュールは主に該ガイド風管の設置により、気流の安定を確保する他、ファンの騒音が外部に漏れることを防止し、また騒音量を低下させることにより、高速回転のファンを採用し、散熱効果を向上させることが可能であることを特徴とする騒音制御構造を具えた散熱モジュールである。
【発明の効果】
【０００５】
上記のように、本発明はファンの回転を通して、空気は導流槽より接続台を通って散熱器に向かい、散熱器は熱エネルギーをブラストの作用により発散、排出するが、ファンの回転時に生じる騒音はガイド風管内に密閉されるため、大幅に騒音を低減することができる。さらに、進入する空気は乱気流とならないため、さらなる騒音発生の確率を低下させ、散熱器に向って風を集中させることができ、散熱の效率を向上させることができる。また散熱器表面積の増加により、散熱効果を高めることもできる。すなわち本発明構造の設置により騒音量を低下させることができるため、高速回転のファンを採用しブラスト量を拡大することにより、単位時間の散熱效率を向上させることができる。
【発明を実施するための最良の形態】
【０００６】
図３、図４及び図５に示すように、本発明騒音制御構造を具えた散熱モジュール300は内部に散熱器4の嵌設具3を具えた散熱モジュール300により説明するが、これに限るものではない。
該散熱器4は底板41を含み、該底板41はCPU5（熱源5）上に密着する底面411、該底面411と反対方向に位置する頂面412、上方へ突出する複数の散熱片42を具える。
該嵌設具3はそれぞれ該散熱器4上方に設置する嵌設ユニット31及び下方の台32を含む。該台32中央には貫通した開孔321を形成し、該散熱器4を該台32上に設置する時、該底板41の底面411は該CPU5上に密着し熱エネルギーを伝達後、該熱エネルギーを発散する。該台32の四角にはそれぞれ嵌設孔3221を具えた嵌合部322を設置する。
該嵌設ユニット31は散熱器4上の嵌設台311に設置し、嵌設台311中央に形成する貫通孔3111を含む。かつその頂面の相対両辺上にはそれぞれ凹溝3112を設置し、該凹溝3112内にはそれぞれ嵌設片312を設置する。該嵌設片312の両端はそれぞれ該嵌設台311外に伸び出し、かつ下方へと屈折し対応台32の嵌設孔3221のロック部3121を形成する。
作動バー313は該嵌設台311上に可動設置し、かつ該嵌設片312と相互に密着し、未移動位置及び移動位置間においてピボット回転を行う。該作動バー313が未移動位置にある時、該嵌設片312のロック部3121と台32の嵌設孔3221は分離し、該作動バー313が移動位置にある時、該嵌設片312は上方へと移動し、かつそのロック部3121は該台32の嵌設孔3221上に嵌設し、該台32は該嵌設ユニット31（図８及び図９参照）に接続する。この部分は公知技術に属するため、ここでは詳述しない。
【０００７】
該騒音制御構造を具えた散熱モジュール300はファン6、ガイド風管8、該ファン6及び該ガイド風管8間に設置する接続台7を含む。
該ファン6は該嵌設台311上に設置するケース体61を含む。該ケース体61は中央に位置し、かつ該嵌設台311の貫通孔3111と通じる通孔62を形成し、該通孔62内には該ケース体61と接続する複数のファンの羽63を設置する。該ファン6をネジにより該嵌設具3上に固定するために、該ファン6のケース体61の四角上にはそれぞれ螺接孔611を設置する。かつ該台32は螺接孔611に対応し、かつ下方へと突出する四個の中空柱323を具える。ネジ65は該螺接孔611を貫通し、該中空柱323上において固定する。該螺接孔611及び該中空柱323が設置される位置は各辺の中央（図示なし）とすることができ、設置数量は２個以上であれば十分であるが、多種の実施方式を採用可能である。また、該ファン6のケース体61上の通孔62位置においてフィルター64（図６参照）を設置し、ほこりが該散熱器4に付着することによる散熱効果への悪影響を防止することができる。
【０００８】
該接続台7は該ファン6のケース体61上に設置する基板71を含む。該基板71中央には開孔72を形成し、該接続台7を該ファン6上に接続する。該基板71の相対する両辺には下方へと延伸する第二嵌合件73をそれぞれ設置し、かつ該ファン6のケース体61は両相対側の外表面に位置し、それぞれ外表面上に対応する第二嵌合件73を形成する陥没部612を具える。これにより、該接続台7は該第二嵌合件73により該ケース体61の陥没部612上において嵌合され、該ファン6及び該接続台7は連接する。
さらに、該嵌設具3の嵌設台311上にも相対する両辺上においてケース体61の陥没部612に対応する四個の第三嵌合件3113を形成し、該ファン6及び該嵌設台311間の連接効果を向上させる。
上記の第二嵌合件73、陥没部612及び第三嵌合件3113の数量は二個以上で固接効果を達成可能で、数量は上記に限るものではない。
また連接の方式も各種異なる形態とし、粘着剤、ネジなどを使用することができる。かつ、該接続台7は該開孔72位置において柵網74（図７参照）を設置可能で、異物或いはほこりのファン6内への侵入を防止する。
【０００９】
該ガイド風管8は導流槽84を形成し、大口径部81、小口径部83を含み、該大口径部81及び該小口径部83間に段階的変化部82を接続する。該段階的変化部82の口径は該大口径部81の一端から該小口径部83の一端に向かい徐々に縮小し、かつ該ガイド風管8はその小口径部83の一端により該接続台7上に接続する。該ガイド風管8のようなこの種の設計は進入する空気を該ファン6の方向に集中させる。他の実施形態中では、該ガイド風管8は直管などの型式とすることができる。
該ガイド風管8と該接続台7を接続するため、該ガイド風管8の内壁面85上には等間隔で少なくとも二個の嵌合凹口86を設置する。本実施例中の嵌合凹口86の数は四で、かつ該接続台7上には少なくとも二方向のガイド風管8を延伸し、かつ該嵌合凹口86の第一嵌合件75に対応する。該嵌合凹口86及び該第一嵌合件75の係合により、該接続台7及び該ガイド風管8を接続する。接続方式は粘着接続及びネジなどの異なる形態とすることができ、上記に限るものではない。
【００１０】
使用時には、ファン6の回転を通して、空気は導流槽84より該接続台7を通って、該散熱器4に向かい、該散熱器4はCPU5から伝導してくる熱エネルギーをブラストの作用により発散、排出する。この時、該ファン6の回転時に生じる騒音は該ガイド風管8内に密閉されるため、大幅に騒音を低減することができる。さらに、進入する空気は乱気流とならないため、さらなる騒音発生の確率を低下させ、該散熱器4に向って風を集中させることができ、散熱の效率を向上させることができる。
該散熱器4の材質はアルミ材を銅材質に変更可能で、或いは該散熱器4表面積の増加により、散熱効果を高めることもできる。すなわち本発明騒音制御構造を具えた散熱モジュール300の設置により騒音量を低下させることができるため、高速回転のファン6を採用しブラスト量を拡大することにより、単位時間の散熱效率を向上させることができる。
【図面の簡単な説明】
【００１１】
【図１】公知の散熱装置の立体組合図である。
【図２】上記散熱装置の立体分解図である。
【図３】発明騒音制御構造を具えた散熱モジュールの実施例の立体組合図である。
【図４】上記実施例の立体分解図である。
【図５】上記実施例中ガイド風管の立体断面図である。
【図６】上記実施例中接続台の別種の実施形態立体図である。
【図７】上記実施例中ファンの別種の実施形態立体図である。
【図８】上記実施例における作動バーが未移動位置にあり、嵌設片と台が未嵌設状態である嵌設具及び散熱器の側面断面図である。
【図９】上記実施例における作動バーが移動位置にあり、嵌設片が台上に嵌設している状態である嵌設具及び散熱器の側面断面図である。
【符号の説明】
【００１２】
300  散熱モジュール
3  嵌設具
31  嵌設ユニット
32  台
321  開孔
3221  嵌設孔
322  嵌合部  
311  嵌設台  
3111  貫通孔  
3112  凹溝  
312  嵌設片  
3221  嵌設孔  
3121  ロック部  
313 作動バー  
323  中空柱
3113  第三嵌合件
4  散熱器
411  底面
412  頂面
42  散熱片
6ファン
61ケース体  
62 ファンの羽  
611 螺接孔
63 通孔  
612  陥没部
64  フィルター  
7  接続台
71  基板
72  開孔
73  第二嵌合件  
73  第二嵌合件、
74  柵網
75  第一嵌合件
8  ガイド風管
84  導流槽
81  大口径部
83  小口径部
82  段階的変化部
85  内壁面
86  嵌合凹口
【図１】
2006037890.tif 000003
【図２】
2006037890.tif 000004
【図３】
2006037890.tif 000005
【図４】
2006037890.tif 000006
【図５】
2006037890.tif 000007
【図６】
2006037890.tif 000008
【図７】
2006037890.tif 000009
【図８】
2006037890.tif 000010
【図９】
2006037890.tif 000011